(57)【要約】【課題】ケーブル敷設ルートを表示するケーブルルート図を提供することにより、地中線ケーブルの敷設ルートの視認性を高め、保守作業効率向上できる地中配電図管理システムを提供する。【解決手段】地中配電図管理装置１は、画面入出力手段１１と、要求データ判定手段１２と、管路ルート表示手段１３と、構造物ケーブルルート表示手段１４と、設備データ１５から構成される。管路ルート表示手段１３は、配電設備の構成機器及び文字データをシンボル化して管路ルート図としてＣＲＴ装置２に表示するものである。構造物ケーブルルート表示手段１４は、管路ルート図からの構造物シンボル選択によりシンボルに対応したケーブルルート図をＣＲＴ装置２に表示するものである。設備データ１５は、配電設備の構成機器及び文字データを格納するものである。【選択図】図１
2009288895.tif 000002
【特許請求の範囲】
【請求項１】
地中配電線路図の管理を行うための各種処理手段と配電設備の構成機器及び文字データを格納する記憶手段とを備え、これらをコンピュータによって制御して所望の処理を実行する地中配電図管理システムと、前記地中配電図管理システムに対してユーザの入力指示を伝達する操作手段と前記地中配電図管理システムからのユーザに対する情報を表示する表示手段とを有する入出力装置と、を備えた地中配電図管理システムにおいて、
前記地中配電図管理システムは、
前記入出力装置からのユーザの操作に基づく画面入力要求と、前記入出力装置に対して画面表示要求を行う画面入出力手段と、
前記画面入出力手段より受けた画面入力要求に対して、当該要求ごとに種類を判別し、所定の処理機能に対して、当該要求を伝達する要求データ判定手段と、
前記記憶手段から配電設備の構成要素及び文字データを読み出し、読み出した構成要素にシンボル記号を割当て、管路ルート図を構成してこれを前記入出力装置に表示する管路ルート表示手段と、
前記記憶手段には、前記シンボル記号に対応するケーブルルート図を表示するための情報が保存されており、ユーザが前記入出力装置を介して前記管路ルート図上に表示されたシンボル記号を選択すると、前記記憶手段から、当該シンボル記号に対応したケーブルルート図を構成する情報を読み出し、ケーブルルート図として前記入出力装置に表示するケーブルルート表示手段と、
を備えたことを特徴とする地中配電図管理システム。
【請求項２】
前記シンボル記号が割り当てられる構成要素として、配電設備の構成機器である構造物を含み、
前記ケーブルルート表示手段は、前記構造物に関するケーブルルート図を表示するものであることを特徴とする請求項１記載の地中配電図管理システム。
【請求項３】
前記記憶手段に保存された構造物に関するケーブルデータには、ケーブルの一端と他端に接続された構造物を第１の設備と第２の設備とし、当該ケーブルの固有情報として製造年、設置年月、ケーブル仕様、電圧区分を含むケーブル属性情報を含み、
前記ケーブルルート表示手段は、選択されるシンボル記号に対応する構造物に入線するケーブルデータを前記記憶手段より取得し、前記取得したケーブルデータより、当該ケーブルに接続されている相手側の構造物データを前記記憶手段より検索し、当該構造物に入線するケーブル本数を取得し、前記相手側の構造物データから同一構造物間のケーブルルートを特定し、当該特定された構造物について、ケーブルルート図の表示を行うことを特徴とする請求項２記載の地中配電図管理システム。
【請求項４】
前記シンボル記号が割り当てられる構成要素として、配電設備の構成機器である管路を含み、
前記ケーブルルート表示手段は、前記管路に関するケーブルルート図を表示するものであることを特徴とする請求項１記載の地中配電図管理システム。
【請求項５】
前記記憶手段に保存された管路に関するケーブルデータは、各管路に割り当てられるシンボルごとに、管路管理番号と管路の両端に存在する構造物又は分岐点に関する情報とからなる管路データと、前記管路管理番号とケーブル管理番号とを対応させたケーブルデータと、を含み、
前記ケーブルルート表示手段は、選択されるシンボル記号に対応する管路における管路管理番号と管路の両端に存在する構造物又は分岐点に関する情報とを前記記憶手段の管路データより取得し、前記管路管理番号を含むケーブル管理番号を前記記憶手段のケーブルデータより取得し、取得したケーブル管理番号と同一のケーブル管理番号を有するケーブルを特定し、当該特定されたケーブルについて、ケーブルルート図を表示することを特徴とする請求項４記載の地中配電図管理システム。
【請求項６】
前記記憶手段に保存されたケーブルデータには、ケーブルの固有情報として製造年、設置年月、ケーブル仕様、電圧区分を含むケーブル属性情報を含み、
ユーザが、前記入出力手段を介して、当該ケーブルの属性情報を指定することにより、管路ルート図上で、当該属性を含むケーブルが敷設されている管路ルートを抽出し、強調して前記入出力装置に表示する管路ルート強調表示手段を備えることを特徴とする請求項１，４又は５記載の地中配電図管理システム。
【請求項７】
地中配電線路図の管理を行うための各種処理手段と配電設備の構成機器及び文字データを格納する記憶手段とを備え、これらをコンピュータによって制御して所望の処理を実行する地中配電図管理システムと、前記地中配電図管理システムに対してユーザの入力指示を伝達する操作手段と前記地中配電図管理システムからのユーザに対する情報を表示する表示手段とを有する入出力装置と、を備えた地中配電図管理システムにおいて、
前記地中配電図管理システムは、
前記入出力装置からのユーザの操作に基づく画面入力要求と、前記入出力装置に対して画面表示要求を行う画面入出力手段と、
前記画面入出力手段より受けた画面入力要求に対して、当該要求ごとに種類を判別し、所定の処理機能に対して、当該要求を伝達する要求データ判定手段と、
前記記憶手段から配電設備の構成要素及び文字データを読み出し、読み出した構成要素にシンボル記号を割当て、管路ルート図を構成してこれを前記入出力装置に表示する管路ルート表示手段と、
前記記憶手段に保存されたケーブルデータには、ケーブルの固有情報として製造年、設置年月、ケーブル仕様、電圧区分を含むケーブル属性情報と、ケーブルのエリアコードを含み、
ユーザが、前記入出力手段を介して、当該ケーブルのエリアコードを指定することにより対象エリアにおけるケーブルの属性情報を、一覧表示するケーブル属性情報表示手段を備えることを特徴とする地中配電図管理システム。
【請求項８】
地中配電線路図の管理を行うための各種処理手段と配電設備の構成機器及び文字データを格納する記憶手段とを備え、これらをコンピュータによって制御して所望の処理を実行する地中配電図管理システムと、前記地中配電図管理システムに対してユーザの入力指示を伝達する操作手段と前記地中配電図管理システムからのユーザに対する情報を表示する表示手段とを有する入出力装置と、を備えた地中配電図管理システムにおいて、
前記地中配電図管理システムは、
前記入出力装置からのユーザの操作に基づく画面入力要求と、前記入出力装置に対して画面表示要求を行う画面入出力手段と、
前記画面入出力手段より受けた画面入力要求に対して、当該要求ごとに種類を判別し、所定の処理機能に対して、当該要求を伝達する要求データ判定手段と、
前記記憶手段から配電設備の構成要素及び文字データを読み出し、読み出した構成要素にシンボル記号を割当て、管路ルート図を構成してこれを前記入出力装置に表示する管路ルート表示手段と、
前記記憶手段に保存されたケーブルデータには、ケーブルの固有情報として製造年、設置年月、ケーブル仕様、電圧区分を含むケーブル属性情報と、ケーブルのエリアコードと、さらに、ケーブル仕様ごとの耐久年月、保守年月を含む耐用基準値からなる基準値情報と、を含み、
ユーザが、前記入出力手段を介して、当該ケーブルのエリアコードを指定することにより対象エリアにおけるケーブルの属性情報を、一覧表示するケーブル属性情報表示手段と、
一覧表示されたケーブルのうち、製造年月および設置年月を含む前記ケーブル属性情報と、前記基準値情報とを比較し、前記耐用基準値を超過しているケーブルについて、強調表示を行うアラーム表示を行うケーブル属性情報アラーム表示手段を備えることを特徴とする地中配電図管理システム。
【請求項９】
ユーザが、前記入出力手段を介して、当該ケーブルの属性情報を指定することにより、管路ルート図上で、当該属性を含むケーブルが敷設されている管路ルートを抽出し、前記管路ルートを前記入出力装置に強調して表示する管路ルート強調表示手段を備えることを特徴とする請求項８記載の地中配電図管理システム。
【発明の詳細な説明】
【技術分野】
【０００１】
本発明は、地中配電設備である地中線ケーブルの管理保守の支援を行うための地中配電図管理システムに関する。
【背景技術】
【０００２】
一般に、電力会社においては、地中配電線系統およびその構成機器の情報を電子化して、設備巡視および点検などの保守業務に利用している。このうち、地中配電図管理システムにおいては、地中配電線路図を管理しており、この地中配電線路図においては、シンボルマークが用いられる図上に表示されるシンボルとしては、図２に示すように、地中配電設備の構成機器であるマンホールやハンドホールなどの構造物シンボル２０〜２３、管路シンボル３０〜３４、分岐点シンボル４０〜４１、設備番号等の文字データ５０〜５３であり、これを地形図６０と重ね合わせて表示している（特許文献１参照）。
【特許文献１】特開２００４−１２６７２３号公報
【発明の開示】
【発明が解決しようとする課題】
【０００３】
ところで、従来の地中配電図管理システムにおいては、図２に示すように地下に埋設された管路ルートは確認できるものの、１つの管路区間に複数敷設され分岐点により分岐されたケーブル敷設ルートについては表示する手段がなく、把握することが困難であった。
【０００４】
本発明は上述した課題を解決するために、ケーブル敷設ルートを表示するケーブルルート図を提供することにより、地中線ケーブルの敷設ルートの視認性を高め、保守作業効率向上できる地中配電図管理システムを提供することを目的とする。
【課題を解決するための手段】
【０００５】
上記の目的を達成するため、本発明は、地中配電線路図の管理を行うための各種処理手段と配電設備の構成機器及び文字データを格納する記憶手段とを備え、これらをコンピュータによって制御して所望の処理を実行する地中配電図管理システムと、前記地中配電図管理システムに対してユーザの入力指示を伝達する操作手段と前記地中配電図管理システムからのユーザに対する情報を表示する表示手段とを有する入出力装置と、を備えた地中配電図管理システムにおいて、前記地中配電図管理システムは、前記入出力装置からのユーザの操作に基づく画面入力要求と、前記入出力装置に対して画面表示要求を行う画面入出力手段と、前記画面入出力手段より受けた画面入力要求に対して、当該要求ごとに種類を判別し、所定の処理機能に対して、当該要求を伝達する要求データ判定手段と、前記記憶手段から配電設備の構成要素及び文字データを読み出し、読み出した構成要素にシンボル記号を割当て、管路ルート図を構成してこれを前記入出力装置に表示する管路ルート表示手段と、前記記憶手段には、前記シンボル記号に対応するケーブルルート図を表示するための情報が保存されており、ユーザが前記入出力装置を介して前記管路ルート図上に表示されたシンボル記号を選択すると、前記記憶手段から、当該シンボル記号に対応したケーブルルート図を構成する情報を読み出し、ケーブルルート図として前記入出力装置に表示するケーブルルート表示手段と、を備えたことを特徴とする。
【発明の効果】
【０００６】
本発明によれば、地形図上に表示された管路ルート図上にて構造物設備を選択し、接続するすべてのケーブルルート図を別画面にて表示する機能により、構造物に入線している全ケーブルに対して敷設ルートが容易に把握できることにより、操作員の負担が軽減され地中線ケーブル保守作業の効率化が期待できる。
【０００７】
これにより、地中線ケーブルの敷設ルートの視認性を高め、保守作業効率向上できる地中配電図管理システムを提供することができる。
【発明を実施するための最良の形態】
【０００８】
次に、本発明を実施するための最良の実施形態（以下「本実施形態」と呼ぶ）について図を参照して説明する。なお、また、背景技術や課題で既に説明した内容と共通の前提事項は繰り返さない。
【０００９】
［１．第１の実施形態］
［１−１．構成］
図１は、本実施形態における地中配電図管理システムの全体構成を示すブロック図である。同図において、１は、コンピュータによって構成された地中配電図管理装置であり、２は、操作部および表示部の両機能を兼ねるユーザーインターフェース（ＣＲＴ装置）である。
【００１０】
地中配電図管理装置１は、画面入出力部１１と、要求データ判定部１２と、管路ルート表示部１３と、構造物ケーブルルート表示部１４と、設備データ１５から構成される。以下、各々について説明する。
【００１１】
画面入出力部１１は、入力部としてのＣＲＴ装置２から、入力を受け付ける画面入力要求と、表示装置としてのＣＲＴ装置２に対して画面表示要求を行うものである。要求データ判定部１２は、画面入出力部１１より受けた画面入力要求に対して要求ごとに処理判断を行うものである。
【００１２】
管路ルート表示部１３は、配電設備の構成機器及び文字データをシンボル化して管路ルート図としてＣＲＴ装置２に表示するものである。
【００１３】
構造物ケーブルルート表示部１４は、管路ルート図からの構造物シンボル選択によりシンボルに対応したケーブルルート図をＣＲＴ装置２に表示するものである。設備データ１５は、配電設備の構成機器及び文字データを格納するものである。
【００１４】
より具体的な構成について説明すると、管路ルート表示部１３は、画面入出力部１１からの要求データが初期表示要求の場合、配電設備の構成機器を表すシンボルの座標及び文字データの座標を、設備データ１５に格納されたデータから読み出し、グラフィカルユーザーインタフェース（ＧＵＩ）により管路ルート図としてＣＲＴ表示装置２に表示するものである。
【００１５】
図２に、管路ルート表示部１３によって表示された管路ルート図の表示例を示す。同図に示すように、配電設備の構成機器であるマンホール及びハンドホールなどの構造物シンボルは、２０〜２３のように表示され、管路シンボルは管路３０〜３４のように表示される。また、管路の分岐を示すシンボルは分岐点４０〜４１のように表示される。なお、構造物シンボル２０〜２３ついては識別番号が付与されており、付与された番号は、文字データとして５０〜５３のように表示される。また、構造物２０〜２３及び管路３０〜３４、並びに分岐点４０〜４１及び文字データ５０〜５３は地形図レイヤ６０の上に表示されている。
【００１６】
ここで、後述する構造物ケーブルルート表示部１４において、ケーブルルート図を表示するために使用する設備データ１５の構成要素の一部であるケーブルデータの構成例と、構造物シンボル２０に関するケーブルデータ例について、図３を用いて説明する。
【００１７】
図３（ａ）に示すように、ケーブルデータの構成例ではケーブルデータを一意に識別するため、ケーブルデータごとに、各々ケーブル管理番号を持つ。ケーブル管理番号は、当該ケーブルデータの存在するエリアコードと連番として決定されている。ただし、あらかじめ他データとの識別を可能とするため、識別コードを用意しておく。すなわち、「ケーブル管理番号」＝「エリアコード＋識別番号＋連番」という構成である。
【００１８】
さらに、ケーブルには、その一端と他端の両端に構造物設備が接続されることから、接続する構造物設備の情報を、設備ＮＯ１、設備ＮＯ２としている。また、当該ケーブルの固有情報として製造年、設置年月、ケーブル仕様、電圧区分等のケーブル属性情報が保存されている。
【００１９】
次に、図３（ｂ）に、構造物シンボル２０に関するケーブルデータ例を示す。ここで示すのは、構造物シンボル２０から構造物シンボル２１、２２、２３にそれぞれ１本ずつ敷設されていると仮定した場合の例である。同図（ｂ）に示すように、この場合、ケーブル管理番号１２３１０００１は、構造物シンボル２０から構造物シンボル２１に敷設されているケーブルであり、ケーブル管理番号１２３１０００２については、構造物シンボル２０から構造物シンボル２２に敷設されているケーブルであり、ケーブル管理番号１２３１０００３は、構造物シンボル２０から構造物シンボル２３に敷設されているケーブルを示している。
【００２０】
［１−２．作用］
以上のような構成からなる本実施形態の地中配電図管理装置は、概略的には、次のように作用する。すなわち、管路ルート表示部１３は、配電設備の構成機器及び文字データをシンボル化して管路ルート図としてＣＲＴ表示装置２に表示する。そして、入力部であるＣＲＴ表示装置２に表示された構成機器シンボルである構造物シンボルを指定すると、本実施形態における特徴的構成である構造物ケーブルルート表示部１４は、ＣＲＴ表示装置２の同一画面上にその構造物シンボルに接続するすべてのケーブルルート図を表示する。
【００２１】
より具体的な作用について、図４のフローチャートを参照して説明する。
まず、図２に示す管路ルート図上の構造物シンボル２０が、ユーザにより入力部としてのＣＲＴ装置２において選択されると、画面入出力部１１が入力情報を受け取り、要求データ判定部１２に情報が渡される。これに基づいて、要求データ判定部１２は、構造物シンボルを選択したことを判断する。
【００２２】
上記のようにして、要求データ判定部１２が、構造物シンボルが選択されたことを検出した場合には、構造物ケーブルルート表示部１４内で図４の動作を開始する（ＳＴＡＲＴ）。
【００２３】
構造物ケーブルルート表示部１４は、選択構造物に関するケーブルデータを設備データ１５の構成要素であるケーブルデータの設備ＮＯ１および設備ＮＯ２の項目から検索し、入線するケーブルデータを取得する（Ｓ４０１）。
【００２４】
Ｓ４０１において、検索された選択構造物に入線するケーブルデータより、構造物ケーブルルート表示部１４は、ケーブルにて接続されている相手側の構造物データをケーブルデータの構成要素である設備ＮＯ１および設備ＮＯ２より検索する（Ｓ４０２）。
【００２５】
Ｓ４０１及びＳ４０２の検索結果より、構造物ケーブルルート表示部１４は、選択構造物に関するケーブル本数を取得する（Ｓ４０３）。また、Ｓ４０１及びＳ４０２の検索結果より、ケーブルデータの構成要素である設備ＮＯ１および設備ＮＯ２を比較し、同一構造物間のケーブルルートの検索を行う（Ｓ４０４）。
【００２６】
以上のような処理により、ユーザにより入力部としてのＣＲＴ装置２により選択された構造物に接続するケーブルの本数およびケーブルのルートが特定されるが、構造物ケーブルルート表示部１４は、これらの情報に基づいてケーブルルート図の表示を行う（Ｓ４０５）。
【００２７】
上記のようなＳ４０１〜Ｓ４０５の処理により、構造物ケーブルルート表示部１４により表示されたケーブルルート図の表示例を図５に示す。同図に示すように、操作員は、ＣＲＴ表示装置２に管路ルート図が表示されている状態で構造物２０を選択することにより、別ウィンドウにてケーブルルート図が表示される。同図において、構造物２０が選択されたシンボルであり、ケーブルが複数入線された状態が表示される。
【００２８】
この場合、構造物設備のシンボルサイズを拡大表示することにより、ケーブルの接続が表現できる。また、構造物２１〜２３についてはケーブルがそれぞれ１本ずつ入線されているので構造物シンボルは管路ルート図にて表示されている大きさと同様に表示する。
【００２９】
また、これら構造物シンボルの中心座標は、管路ルート図にて表示した座標にて表示する。ケーブルの表示については両端構造物のみを表示し、管路ルート図にて表示していた分岐点４０〜４１は表示しない。ただし、分岐点４０〜４１上ではケーブルが交差し、表示が煩雑になることから、それぞれのケーブル間の間隔をあらかじめ定義することにより、ケーブルの交差を防ぎ、ケーブルルート図の表示が可能となる。
【００３０】
［１−３．効果］
以上のように、地形図上に表示された管路ルート図上にて構造物設備を選択し、接続するすべてのケーブルルート図を別画面にて表示する機能により、構造物に入線している全ケーブルに対して敷設ルートが容易に把握できることにより、操作員の負担が軽減され地中線ケーブル保守作業の効率化が期待できる。
【００３１】
［２．第２の実施形態］
次に、本発明の第２の実施形態について、図６を用いて説明する。なお、第１の実施形態と同一の構成には同一の符号を付し、重複する説明は省略する場合がある。
【００３２】
［２−１．構成］
本実施形態では、第１の実施形態における構成要素である構造物ケーブルルート表示部１４について、図６に示すように、管路ケーブルルート表示部１６として構成を変更している。この管路ケーブルルート表示部１６は、管路ルート図からの管路シンボル選択により管路シンボルに対応したケーブルルート図として、ＣＲＴ装置２に表示するものである。
【００３３】
本実施形態においては、管路ケーブルルート表示部１６は、配電設備の構成機器及び文字データをシンボル化して、管路ルート図としてＣＲＴ表示装置２に表示する。すなわち、ユーザが、ＣＲＴ装置２において、ＣＲＴ表示装置２に表示された構成機器のシンボルである管路シンボルを指定すると、管路ケーブルルート表示部１６は、図１０に示すように、ＣＲＴ表示装置２の同一画面上に、その管路区間に敷設のケーブルルート図を表示するものである。
【００３４】
ここで、管路ケーブルルート表示部１６にてケーブルルート図を表示するために使用する設備データ１５の構成要素の一部である「管路データの構成例」と、「管路データ例」について図７を用いて説明する。
【００３５】
まず、図７（ａ）に示すように、「管路データの構成例」については、管路を一意に識別する為に管路管理番号を持ち、番号付けの取り決めとしてケーブルデータと同様に存在するエリアコードと識別コードと連番にて決定している。また、管路には両端の構造物設備および分岐点が存在することから、接続する分岐点番号の情報を分岐点ＮＯ１、分岐点ＮＯ２として格納している。また、分岐点上に構造物設備が存在する場合には、設備ＮＯ１、設備ＮＯ２に当該設備ＮＯが保存されている。
【００３６】
次に、「管路データ例」について、図７（ｂ）を用いて説明する。同図において、管路管理番号１２３２０００１は、管路シンボル３０に関するデータであり、管路管理番号１２３２０００２は、管路シンボル３１に関するデータである。また、管路管理番号１２３２０００３は、管路シンボル３４に関するデータであり、管路管理番号１２３２０００４は、管路シンボル３３に関するデータであり、管路管理番号１２３２０００５は、管路シンボル３２に関するデータを示している。
【００３７】
さらに、後述する管路ケーブルルート表示部１６にてケーブルルート図を表示するために使用する設備データ１５の構成要素の一部である「区間ケーブルデータ」の構成例と、構造物シンボル２０から構造物シンボル２２に敷設された「ケーブルの区間ケーブルデータ例」について図８を用いて説明する。
【００３８】
図８（ａ）に示すように、「区間ケーブルデータ」は、ケーブル管理番号と、管路管理番号、および分岐点ＮＯを持つことによりケーブルデータと管路データの対応付けが可能となるようになっており、同図（ｂ）に示すように、構造物シンボル２０から構造物シンボル２２に敷設されたケーブルについては図８に示すデータ例のように保存されている。
【００３９】
［２−２．作用］
次に、本実施形態におけるケーブルルート図を表示するまでの動作について説明する。ユーザが、入力部としてのＣＲＴ装置２を介して、図２に示す管路ルート図上の管路シンボル３４を選択すると、画面入出力部１１が入力情報を受け取り、要求データ判定部１２に情報が渡され、これに基づいて、要求データ判定部１２は、管路シンボルを選択したことを判断する。
【００４０】
要求データ判定部１２において選択されたと判定したシンボルが、管路シンボルだった場合は、管路ケーブルルート表示部１６が図９のフローチャートに示す動作を開始する（ＳＴＡＲＴ）。
【００４１】
まず、管路ケーブルルート表示部１６は、管路シンボル３４に関する情報を設備データ１５の構成要素である「管路データ」（図７参照）から検索し、管路管理番号と分岐点ＮＯ１と分岐点ＮＯ２の情報を取得する（Ｓ９０１）。管路ケーブルルート表示部１６は、Ｓ９０１の検索結果により取得した管路管理番号が存在する区間ケーブル情報を、設備データ１５の構成要素である「区間ケーブルデータ」（図８参照）から検索し、ケーブル管理番号を取得する（Ｓ９０２）。管路ケーブルルート表示部１６は、Ｓ９０２の検索結果にて取得したケーブル管理番号と、同一番号の「区間ケーブル」情報を検索する（Ｓ９０３）。
【００４２】
以上のような処理により、ＣＲＴ装置２を介してユーザから選択された管路シンボル３４に敷設するケーブルの管路ルートが特定されるが、管路ケーブルルート表示部１６は、これらの情報によりケーブルルート図の表示を行う（Ｓ９０４）。
【００４３】
図１０に、管路ケーブルルート表示部１６により表示されたケーブルルート図の表示例を示す。図１０に例示されるように、ＣＲＴ表示装置２に管路ルート図が表示されている状態で、ユーザが管路シンボル３４を選択することにより、別ウィンドウにてケーブルルート図が表示される。この図によれば、別ウィンドウで表示されるのは、管路シンボル３４が選択されたシンボルであり、これにより選択した管路区間のケーブルの入線状況の把握が可能である。
【００４４】
［２−３．効果］
以上のように、地形図上に表示された管路ルート図上にて管路設備を選択し、管路に敷設されている全てのケーブルルート図が確認できるため、操作員の負担が軽減され地中線ケーブル保守作業の効率化が期待できる。
【００４５】
［３．第３の実施形態］
次に、本発明の第３の実施形態について図１１を用いて説明する。なお、上記各実施形態と同一の構成には同一の符号を付し、重複する説明は省略する場合がある。
【００４６】
［３−１．構成］
本実施形態では、第１の実施形態の構成要素である画面入出力部１１および要求データ判定部１２および管路ルート表示部１３に加えて、管路ルート強調表示部１７を追加して構成している。この管路ルート強調表示部１７は、製造年、設置年月、ケーブル仕様、電圧区分などのケーブル属性情報を指定することにより管路ルート図上で対象ケーブルルートが敷設されている管路ルートを強調してＣＲＴ装置２に表示するものである。
【００４７】
［３−２．作用］
本実施形態においては、管路ルート表示部は、配電設備の構成機器及び文字データをシンボル化して管路ルート図としてＣＲＴ表示装置に表示する。そして、入力部としてのＣＲＴ装置２により、製造年、設置年月、ケーブル仕様、電圧区分などのケーブル属性情報を指定することにより、管路ルート図上で対象ケーブルルートが敷設されている管路ルートを強調してＣＲＴ装置２に表示する。
【００４８】
以下、第１の実施形態で説明した内容と同様に、管路ルート表示部１３が、グラフィカルユーザーインタフェース（ＧＵＩ）により管路ルート図としてＣＲＴ表示装置２に表示する。続いて、図１３に示すように、管路ルート表示部１３により、製造年、設置年月、ケーブル仕様、電圧区等のケーブルデータに保存済のケーブル属性情報について指定するためのケーブル属性情報指定画面が表示される。
【００４９】
ユーザは、ＣＲＴ装置２を介して図１３に示すケーブル属性情報指定画面において、製造年、設置年月、ケーブル仕様、電圧区等のケーブルデータに保存済のケーブル属性情報を指定する。
【００５０】
画面入出力部１１はこれを受け、要求データ判定部１２に伝達する。要求データ判定部１２が、画面入出力部１１からの情報に基づいて、ケーブル属性情報が指定されたことを判定した場合には、管路ルート表示部１３を起動し、指定されたデータがケーブル属性情報であれば、管路ルート強調表示部１７が、図１２のフローチャートに示す動作を開始する（ＳＴＡＲＴ）。
【００５１】
管路ルート強調表示部１７は、図１３に示すケーブル属性情報指定画面から指定された、製造年、設置年月、ケーブル仕様、電圧区分が存在するケーブルデータのレコードを検索する（Ｓ１２０１）。Ｓ１２０１の検索結果から、管路ルート強調表示部１７は、ケーブル管理番号を持つ設備データ１５内の図８に示す区間ケーブルデータを取得する（Ｓ１２０２）。
【００５２】
Ｓ１２０２の検索にて得られた区間ケーブルデータから、管路ルート強調表示部１７は、管路管理番号を取得する（Ｓ１２０３）。Ｓ１２０３にて取得した管路管理番号について、管路ルート強調表示部１７は、管路ルート図上に強調処理を行う（Ｓ１２０４）。
【００５３】
以上より、図１３に管路ルート図上に強調した表示例を示す。なお、本実施形態においては、説明の便宜上、管路ルートを太字にして表しているが、実際には、表示色を変更することにより、表すことでより視覚的に強調された表示態様とすることが可能である。また、本実施形態における「強調」とは、図１３に示すように、太字表示を行うほか、表示色を変更する態様など、他の管路ルートとの区別できる態様で表すあらゆる態様を包含するものである。
【００５４】
このように、ユーザがＣＲＴ装置２を介して図１３に示すケーブル属性情報指定画面において、製造年、設置年月、ケーブル仕様、電圧区等のケーブルデータに保存済のケーブル属性情報を指定することにより、ＣＲＴ表示装置２に管路ルート図が表示されている状態で、対象ケーブルが敷設されている管路ルートのみを強調して表示されるようになる。
【００５５】
［３−３．効果］
以上のように、ユーザがＣＲＴ装置２を介して製造年月、設置年月、ケーブル仕様、電圧区分等のケーブル属性情報を指定することにより、地形図上に表示された管路ルート図上にて指定されたケーブル属性情報を持つケーブルのケーブルルートが容易に確認できるようになる。
【００５６】
［４．第４の実施形態］
次に、本発明の第４の実施形態について図１４を用いて説明する。なお、上記各実施形態と同一の構成には同一の符号を付し、重複する説明は省略する場合がある。
【００５７】
［４−１．構成］
本実施形態では、第１の実施形態の構成要素である構造物ケーブルルート表示部１３を、ケーブル属性情報表示部１８に置換して構成している。ケーブル属性情報表示部１８は、エリアコードを指定することにより対象エリアのケーブルの製造年、設置年月、ケーブル仕様、電圧区分などの属性情報を一覧表示するものである。
【００５８】
［４−２．作用］
本実施形態においては、図１４に示すように、管路ルート表示部１３は、配電設備の構成機器及び文字データをシンボル化して、管路ルート図としてＣＲＴ表示装置２に表示する。そして、ユーザが、ＣＲＴ装置２を介して、エリアコードを指定することによりケーブル属性情報表示部１８は、対象エリアに存在するケーブルデータを抽出し、図１６に示すように、ＣＲＴ表示装置２にケーブル属性情報一覧画面を表示する。
【００５９】
以下、第１の実施形態で説明した内容と同様に、管路ルート表示部１３が、管路ルート図としてＣＲＴ表示装置２に表示する。続いて、ユーザが、ＣＲＴ装置２を介してエリアコードを指定する。画面入出力部１１はこれを受け、要求データ判定部１２に伝達する。要求データ判定部１２が、画面入出力部１１からの情報に基づいて、エリアコードが指定されたことを判定した場合に、ケーブル属性情報表示部１８が、図１５のフローチャートに示す動作を開始する（ＳＴＡＲＴ）。
【００６０】
ケーブル属性情報表示部１８は、画面入出力部１１にて指定されたエリアコード１２３を抽出する（Ｓ１５０１）。ケーブル属性情報表示部１８は、設備データ１５からエリアコード１２３を持つケーブルデータの検索を行う（Ｓ１５０２）。Ｓ１５０１及び１５０２の処理により、画面入出力部１１から指定されたエリアコードを持つケーブルデータが検索されると、ケーブル属性情報表示部１８は、これらの情報に基づいて、図１６に示すようにケーブル属性情報一覧画面を表示する（Ｓ１５０３）。
【００６１】
［４−３．効果］
以上のように、エリアコードを指定することにより対象エリアに存在するケーブル情報を一覧表示することが可能となり、同型機器対策等の保守点検情報において有用なシステムを提供することが可能となる。
【００６２】
［５．第５の実施形態］
次に、本発明の第５の実施形態について図１７を用いて説明する。なお、上記各実施形態と同一の構成には同一の符号を付し、重複する説明は省略する場合がある場合がある。
【００６３】
［５−１．構成］
本実施形態では、第４の実施形態の構成に加えて、ケーブル属性情報アラーム表示部１９を設けて構成している。このケーブル属性情報アラーム表示部１９は、ケーブル属性情報一覧画面にて製造年月および設置年月等の情報とあらかじめ設備データ１５に保存されているケーブル仕様毎の耐久年月、保守年月等を耐用基準値とし、製造年月および設置年月を含む前記ケーブル属性情報と、基準値情報とを比較し、耐用基準値を超過しているケーブルについて、強調表示を行うアラーム表示を行う手段である。
【００６４】
［５−２．作用］
図１７に示すように、第５の実施形態においては、第４の実施形態同様、管路ルート表示部１３は、配電設備の構成機器及び文字データをシンボル化して、管路ルート図としてＣＲＴ表示装置２に表示する。ユーザは、ＣＲＴ装置２を介して、エリアコードを指定することによりケーブル属性情報表示部１８は対象エリアに存在するケーブルデータを抽出し、ＣＲＴ表示装置２にケーブル属性情報一覧画面を表示する。さらに、ケーブル属性情報一覧画面に表示されているケーブルにおいて、製造年月経過年および設置年月経過年で基準値情報より超過しているケーブルがあれば、管路ルート強調表示部１７が、これを判別し、ケーブル属性情報一覧画面にて強調表示する。
【００６５】
以下、第４の実施形態と同様に、管路ルート表示部１３が、管路ルート図としてＣＲＴ表示装置２に表示する。続いて、ユーザが、ＣＲＴ装置２を介してエリアコードを指定する。画面入出力部１１はこれを受け、要求データ判定部１２に伝達する。要求データ判定部１２が、画面入出力部１１からの情報に基づいて、エリアコードが指定されたことを判定した場合に、ケーブル属性情報表示部１８を起動する。
【００６６】
ケーブル属性情報表示部１８は、図３に示す、ケーブルデータのケーブル管理番号のエリアコードを抽出し、画面入出力部１１により指定されたエリアコードと同様のケーブルデータを抽出し、これに基づいて、ケーブル属性情報アラーム表示部１９が、図１８のフローチャートに示される動作を開始する（ＳＴＡＲＴ）。
【００６７】
まず、ケーブル属性情報アラーム表示部１９は、あらかじめ設備データ１５に保存しているケーブル仕様毎の耐久年月、保守年月の情報を取得する（Ｓ１８０１）。次に、ケーブル属性情報アラーム表示部１９は、上記本実施形態の処理を開始（ＳＴＡＲＴ）するまで処理により、抽出されたケーブルデータの製造年、設置年月、ケーブル仕様を抽出する（Ｓ１８０２）。
【００６８】
ケーブル属性情報アラーム表示部１９は、Ｓ１８０１にて取得された耐久年月、保守年月とＳ１８０２にて取得された製造年、設置年月の比較を行い、Ｓ１８０２にて取得された情報がＳ１８０１にて取得された情報を超過していないかの判断を行う（Ｓ１８０３）。ケーブル属性情報アラーム表示部１９は、Ｓ１８０３にてケーブル仕様毎の耐久年月、保守年月を超過しているケーブルが検索された場合には、図１９に示すように、ケーブル属性情報画面にて、当該超過しているケーブルについて、強調表示することにより、アラーム表示とする（Ｓ１８０４）。
【００６９】
［５−３．効果］
以上のように、ケーブル属性情報一覧画面上にてケーブル耐久年月、保守年月等の情報より基準値を超過しているケーブルに対して、ケーブル属性情報アラーム表示部１９がアラーム表示を行うことにより、耐用基準値を超過したケーブルの視認が容易となり、ケーブルの保守点検作業効率向上が期待できる。
【００７０】
［６．第６の実施形態］
次に、本発明の第６の実施形態について図２０を用いて説明する。なお、上記各実施形態と同一の構成には同一の符号を付し、重複する説明は省略する場合がある。
【００７１】
［６−１．構成］
本実施形態では、第５の実施形態の構成に加えて、管路ルート強調表示部１７を設けて構成した。この管路ルート強調表示部１７は、ユーザがケーブル属性情報一覧画面にてケーブルを指定することにより、対象ケーブルルートが敷設されている管路ルートを強調してＣＲＴ装置２に表示する手段である。
【００７２】
［６−２．作用］
本実施形態においては、管路ルート表示部は、配電設備の構成機器及び文字データをシンボル化して管路ルート図としてＣＲＴ表示装置２に表示する。そして、ユーザがＣＲＴ装置２を介して、エリアコードを指定することによりケーブル属性情報表示部１８は対象エリアに存在するケーブルデータを抽出し、ＣＲＴ表示装置２に一覧表示する。ケーブル属性情報一覧画面上にて、ユーザが、管路ルート表示対象ケーブルを指定することにより、管路ルート強調表示部１７は、対象のケーブルルートを管路ルート図にて強調表示するものである。
【００７３】
以下、第５の実施形態と同様に、管路ルート表示部１３が、管路ルート図としてＣＲＴ表示装置２に表示する。続いて、ユーザが、ＣＲＴ装置２を介してエリアコードを指定する。画面入出力部１１はこれを受け、要求データ判定部１２に伝達する。要求データ判定部１２が、画面入出力部１１からの情報に基づいて、エリアコードが指定されたことを判定した場合に、ケーブル属性情報表示部１８を起動する。
【００７４】
ケーブル属性情報表示部１８は、図３に示す、ケーブルデータのケーブル管理番号のエリアコードを抽出し、画面入出力部１１により指定されたエリアコードと同様のケーブルデータを抽出し、ケーブル属性情報一覧画面を表示する。
【００７５】
ユーザが、ＣＲＴ装置２を介して、図２２に示す、ケーブル属性情報一覧画面上のチェックボックスを押下すると、管路ルート強調表示部１７は、図２１のフローチャートに示す動作を開始する（ＳＴＡＲＴ）。
【００７６】
まず、管路ルート強調表示部１７は、ケーブル属性情報一覧画面上でチェックボックスにて指定されたケーブル管理番号を取得する（Ｓ２１０１）。管路ルート強調表示部１７は、Ｓ２１０１にて取得されたケーブル管理番号を持つ設備データ１５内の図８に示す区間ケーブルデータを取得する（Ｓ２１０２）。
【００７７】
管路ルート強調表示部１７は、Ｓ２１０２にて取得された区間ケーブルデータから管路管理番号を取得する（Ｓ２１０３）。管路ルート強調表示部１７は、Ｓ２１０３にてケーブル属性情報一覧画面上のチェックボックスにて指定されたケーブルデータに関する管路データが抽出された場合には、図２２に示すように、これらの情報に基づいて管路ルートを管路ルート図上に強調表示する（Ｓ２１０４）。
【００７８】
［６−３．効果］
以上のように、ユーザが、ＣＲＴ装置２に表示されたケーブル属性情報一覧画面上にてケーブルを指定することにより、管路ルート強調表示部１７は、当該ケーブルが敷設されている管路ルートを強調表示する。これにより参照したいケーブル敷設ルートの視認性が高まり、ケーブル保守作業の効率化が期待できる。
【図面の簡単な説明】
【００７９】
【図１】本発明の第１の実施形態における地中配電図管理システムの全体構成図
【図２】本発明の第１の実施形態における管路ルート図表示画面例を示す図
【図３】本発明の第１の実施形態におけるケーブルデータの構成を示す図
【図４】本発明の第１の実施形態における構造物選択時のケーブルルート表示の動作を示す流れ図
【図５】本発明の第１の実施形態の構造物選択時のケーブルルート表示画面例を示す図
【図６】本発明の第２の実施形態における地中配電図管理システムの全体構成図
【図７】本発明の第２の実施形態における管路データの構成を示す図
【図８】本発明の第２の実施形態における区間ケーブルデータの構成を示す図
【図９】本発明の第２の実施形態における管路選択時のケーブルルート表示の動作を示す流れ図
【図１０】本発明の第２の実施形態における管路選択時のケーブルルート表示画面例を示す図
【図１１】本発明の第３の実施形態における地中配電図管理システムの全体構成図
【図１２】本発明の第３の実施形態におけるケーブル属性情報指定時の管路ルート図強調表示の動作を示す流れ図
【図１３】本発明の第３の実施形態におけるケーブル属性情報指定時の管路ルート強調表示画面例を示す図
【図１４】本発明の第４の実施形態における地中配電図管理システムの全体構成図
【図１５】本発明の第４の実施形態のエリアコード指定時のケーブル属性情報一覧画面表示の動作を示す流れ図
【図１６】本発明の第４の実施形態のケーブル属性情報一覧表示画面例を示す図
【図１７】本発明の第５の実施形態における地中配電図管理システムの全体構成図
【図１８】本発明の第５の実施形態のケーブル属性情報一覧画面におけるアラーム表示の動作を示す流れ図
【図１９】本発明の第５の実施形態におけるケーブル属性情報一覧画面のアラーム表示画面例を示す図
【図２０】本発明の第６の実施形態における地中配電図管理システムの全体構成図
【図２１】本発明の第６の実施形態におけるケーブル属性情報一覧からケーブル指定時の管路ルート図強調表示の動作を示す流れ図
【図２２】本発明の第６の実施形態のケーブル属性情報一覧画面からの管路ルート強調表示画面例を示す図
【符号の説明】
【００８０】
１…地中配電図管理装置
２…ＣＲＴ表示装置
１１…画面入出力部
１２…要求データ判定処理
１３…管路ルート表示部
１４…構造物ケーブルルート表示部
１５…設備データ
１６…管路ケーブルルート表示部
１７…管路ルート強調表示部
１８…ケーブル属性情報表示部
１９…ケーブル属性情報アラーム表示部
２０〜２３…構造物シンボル
３０〜３４…管路シンボル
４０〜４１…分岐点シンボル
５０〜５３…文字シンボル
【図１】
2009288895.tif 000003
【図２】
2009288895.tif 000004
【図３】
2009288895.tif 000005
【図４】
2009288895.tif 000006
【図５】
2009288895.tif 000007
【図６】
2009288895.tif 000008
【図７】
2009288895.tif 000009
【図８】
2009288895.tif 000010
【図９】
2009288895.tif 000011
【図１０】
2009288895.tif 000012
【図１１】
2009288895.tif 000013
【図１２】
2009288895.tif 000014
【図１３】
2009288895.tif 000015
【図１４】
2009288895.tif 000016
【図１５】
2009288895.tif 000017
【図１６】
2009288895.tif 000018
【図１７】
2009288895.tif 000019
【図１８】
2009288895.tif 000020
【図１９】
2009288895.tif 000021
【図２０】
2009288895.tif 000022
【図２１】
2009288895.tif 000023
【図２２】
2009288895.tif 000024